(57)【要約】【課題】  防食支柱の根元部分における防食効果を長期に渡って維持することができる防食支柱、基礎構造体およびこれらを用いた支柱構造物を提供する。【解決手段】  地盤に挿入した状態で固定され、支柱構造物１０を支持する防食支柱１であって、防食支柱１の外周面には、地盤の地表面となる高さ位置を基準として上下に所定の幅を備えた防食性を有する防食補強カバー１１が全周に渡って溶接されている。また、基礎構造体２は防食支柱１を地盤に固定し、支柱構造物１０は防食支柱１または基礎構造体２を用いて設置される。【選択図】  図１
0003227302.tif 000002
【実用新案登録請求の範囲】
【請求項１】
地盤に挿入した状態で固定され、支柱構造物を支持する防食支柱であって、
前記防食支柱の外周面には、前記地盤の地表面となる高さ位置を基準として上下に所定の幅を備えた防食性を有する防食補強カバーが全周に渡って溶接されている、防食支柱。
【請求項２】
前記防食補強カバーは、前記防食支柱の外周面と略同一曲率の内周面を有する複数の分割片が接合されて構成されている、請求項１に記載の防食支柱。
【請求項３】
前記防食補強カバーは、地表面の高さ位置を基準として上端部までの寸法と下端部までの寸法が略同一に設定されている、請求項１または請求項２に記載の防食支柱。
【請求項４】
前記防食補強カバーは、複数の貫通孔が形成されており、各貫通孔に溶加材を充填させることにより前記防食支柱の外周面と一体化されている、請求項１から請求項３のいずれかに記載の防食支柱。
【請求項５】
前記防食補強カバーは、前記防食支柱に溶接された後に溶融亜鉛メッキが被覆された鋼板、または溶融亜鉛−アルミニウム−マグネシウム合金メッキ鋼板により構成されている、請求項１から請求項４のいずれかに記載の防食支柱。
【請求項６】
請求項１から請求項５のいずれかに記載の防食支柱を地盤に固定する基礎構造体であって、
前記防食支柱の外周面に当接し前記防食支柱の垂直状態を調整する複数の建入れ調整金具が、水平方向に沿って進退自在に設けられる上部基礎管と、前記上部基礎管より小径かつ前記防食支柱より大径に形成され、前記上部基礎管の下端部に連結される下部基礎管と、を有し、
前記上部基礎管は、その上端部が前記地盤の地表面より上方に突出された状態で設置されるとともに、前記防食支柱は、前記防食補強カバーの上下幅方向における中央位置が前記上端部の高さ位置とほぼ一致するように挿入される、基礎構造体。
【請求項７】
前記上部基礎管の上端部には、軸心位置に挿入された前記防食支柱に向けて上方に突出形成されたドーム状のシーリングが設けられている、請求項６に記載の基礎構造体。
【請求項８】
請求項１から請求項５のいずれかに記載の防食支柱、または請求項６または請求項７に記載の基礎構造体を用いて設置されてなる支柱構造物。
【考案の詳細な説明】
【技術分野】
【０００１】
本考案は、無線基地局用の通信鉄塔や道路標識等のような支柱構造物の支柱として使用するのに好適な防食支柱、基礎構造体およびこれらを用いた支柱構造物に関するものである。
【背景技術】
【０００２】
従来、支柱構造物を支持するための支柱として、例えば、実用新案登録第３１７８７３１号公報には、縦穴内に設置された基礎枠に挿入されて、鉄塔を支持する支柱（主柱）が開示されている（特許文献１）。
【先行技術文献】
【特許文献】
【０００３】
【特許文献１】実用新案登録第３１７８７３１号公報
【考案の概要】
【考案が解決しようとする課題】
【０００４】
上記特許文献１に記載された支柱を含め従来の支柱は、地表面付近の根元部分に雨水等が滞留し、腐食しやすいという課題がある。このため、近年では支柱の根元部分に防水テープを巻き付けたり、防食塗料で塗装する等の対策が施されている。しかしながら、これらの防水テープや防食塗料は、固い物体や鋭利な物体が接触しただけで、破れたり剥がれたりし易いため、防食効果を長く維持できないという課題がある。
【０００５】
本考案は、このような課題を解決するためになされたものであって、防食支柱の根元部分における防食効果を長期に渡って維持することができる防食支柱、基礎構造体およびこれらを用いた支柱構造物を提供することを目的としている。
【課題を解決するための手段】
【０００６】
本考案に係る基礎構造体は、防食支柱の根元部分における防食効果を長期に渡って維持するという課題を解決するために、地盤に挿入した状態で固定され、支柱構造物を支持する防食支柱であって、前記防食支柱の外周面には、前記地盤の地表面となる高さ位置を基準として上下に所定の幅を備えた防食性を有する防食補強カバーが全周に渡って溶接されている。
【０００７】
また、本考案の一態様として、様々な径サイズの防食支柱に対しても、防食補強カバーを密着させ易くして強度を高めるという課題を解決するために、前記防食補強カバーは、前記防食支柱の外周面と略同一曲率の内周面を有する複数の分割片が接合されて構成されていてもよい。
【０００８】
さらに、本考案の一態様として、地表面近傍における腐食を漏れなく防止するという課題を解決するために、前記防食補強カバーは、地表面の高さ位置を基準として上端部までの寸法と下端部までの寸法が略同一に設定されていてもよい。
【０００９】
また、本考案の一態様として、防食支柱に対する防食補強カバーの接合強度を向上するという課題を解決するために、前記防食補強カバーは、複数の貫通孔が形成されており、各貫通孔に溶加材を充填させることにより前記防食支柱の外周面と一体化されていてもよい。
【００１０】
さらに、本考案の一態様として、劣化しにくい防食補強カバーにより防食効果の低下を抑制するという課題を解決するために、前記防食補強カバーは、前記防食支柱に溶接された後に溶融亜鉛メッキが被覆された鋼板、または溶融亜鉛−アルミニウム−マグネシウム合金メッキ鋼板により構成されていてもよい。
【００１１】
また、本考案に係る基礎構造体は、防食支柱の根元部分における水はけを良くして腐食を抑制するという課題を解決するために、上述したいずれかの態様を有する防食支柱を地盤に固定する基礎構造体であって、前記防食支柱の外周面に当接し前記防食支柱の垂直状態を調整する複数の建入れ調整金具が、水平方向に沿って進退自在に設けられる上部基礎管と、前記上部基礎管より小径かつ前記防食支柱より大径に形成され、前記上部基礎管の下端部に連結される下部基礎管と、を有し、前記上部基礎管は、その上端部が前記地盤の地表面より上方に突出された状態で設置されるとともに、前記防食支柱は、前記防食補強カバーの上下幅方向における中央位置が前記上端部の高さ位置とほぼ一致するように挿入される。
【００１２】
また、本考案の一態様として、防食支柱の根元部分に水分を滞留させ難くして腐食を抑制するという課題を解決するために、前記上部基礎管の上端部には、軸心位置に挿入された前記防食支柱に向けて上方に突出形成されたドーム状のシーリングが設けられていてもよい。
【００１３】
また、本考案に係る支柱構造物は、防食支柱の根元部分における防食効果を長期に渡って維持するという課題を解決するために、上述したいずれかの態様を有する防食支柱または基礎構造体を用いて設置されてなる。
【考案の効果】
【００１４】
本考案によれば、防食支柱の根元部分における防食効果を長期に渡って維持することができる。
【図面の簡単な説明】
【００１５】
【図１】本考案に係る防食支柱、基礎構造体およびこれらを用いた支柱構造物の一実施形態を示す一部断面図である。
【図２】本実施形態の防食補強カバー近傍を示す拡大斜視図である。
【図３】図１におけるＡ−Ａ線断面図および一部拡大図である。
【図４】図１におけるＢ−Ｂ線断面図である。
【図５】図１におけるＣ−Ｃ線断面図である。
【図６】図１におけるＤ−Ｄ線断面図である。
【考案を実施するための形態】
【００１６】
以下、本考案に係る防食支柱、基礎構造体およびこれらを用いた支柱構造物の一実施形態について図面を用いて説明する。
【００１７】
本実施形態の防食支柱１は、図１に示すように、地盤に挿入した状態で固定され、支柱構造物１０を支持するものであり、その外周面には防食補強カバー１１が設けられている。また、本実施形態において、基礎構造体２は、防食支柱１を地盤に固定するものであり、図１に示すように、基礎構造体２の上部に設けられる上部基礎管２１と、基礎構造体２の下部に設けられる下部基礎管２２とを有している。以下、各構成について説明する。なお、本考案において、支柱構造物１０とは、無線基地局用の通信鉄塔や道路標識等のように、防食支柱１によって立設される全ての構造物を含むものとする。
【００１８】
防食補強カバー１１は、防食性を有し防食支柱１を補強するものである。本実施形態において、防食補強カバー１１は鋼板によって円筒状に形成されており、図１および図２に示すように、地盤の地表面となる高さ位置を基準として、上端部までの寸法と下端部までの寸法が略同一に設定されている。なお、防食補強カバー１１の上下寸法は、上記構成に限定されるものではなく、地盤の地表面となる高さ位置を基準として上下に所定の幅を備えていればよい。
【００１９】
また、本実施形態において、防食補強カバー１１は、図３に示すように、防食支柱１の外周面と略同一曲率の内周面を有する複数の分割片１１ａによって構成されている。そして、各分割片１１ａの左右端部が溶接によって円筒状に接合されるとともに、その円筒状の上下端部が全周に渡って防食支柱１の外周面に溶接されている。なお、本実施形態では、防食補強カバー１１を複数の分割片１１ａによって構成しているが、この構成に限定されるものではなく、防食支柱１の外径と略同一の内径を有する既成の鋼管等があれば、それを使用してもよい。
【００２０】
さらに、本実施形態において、防食補強カバー１１は、メッキの劣化を抑制するために、防食支柱１に溶接された後に溶融亜鉛メッキが被覆された鋼板によって構成されているが、この構成に限定されるものではなく、メッキ処理が予め施された溶融亜鉛−アルミニウム−マグネシウム合金メッキ鋼板（ＺＡＭ鋼板：登録商標）により構成されていてもよい。
【００２１】
また、本実施形態において、防食補強カバー１１は、図１から図３に示すように、複数の貫通孔１２が形成されており、各貫通孔１２に溶加材１３を充填させることにより防食支柱１の外周面と一体化されている。
【００２２】
つぎに、基礎構造体２を構成する上部基礎管２１は、溶融亜鉛メッキが施された鋼材によって円筒状に形成されている。また、上部基礎管２１には、図１に示すように、防食支柱１の外周面に当接し防食支柱１の垂直状態を調整する複数の建入れ調整金具２３が、水平方向に沿って進退自在に設けられている。本実施形態において、建入れ調整金具２３は、図４に示すように、防食支柱１の前後位置を調整する一対の前後調整金具２３ａと、防食支柱１の左右位置を調整する一対の左右調整金具２３ｂとを有している。
【００２３】
なお、前後調整金具２３ａは、図４に示すように、防食支柱１と当接する当接面が円弧状に湾曲されており、その曲率は防食支柱１の外周面の曲率と一致されている。このため、前後調整金具２３ａは防食支柱１の外周面と密着するように当接し、位置調整精度が向上されている。また、左右調整金具２３ｂは、その当接面に滑り止め用のローレット加工が施されており、位置調整精度が向上されている。
【００２４】
また、本実施形態において、上部基礎管２１は、図１および図２に示すように、その上端部が地盤の地表面より上方に突出された状態で設置されている。そして、防食支柱１は、防食補強カバー１１の上下幅方向における中央位置が、上部基礎管２１の上端部の高さ位置とほぼ一致するように挿入される。これにより、防食支柱１の根元部分における水はけが向上し、腐食が抑制されるようになっている。
【００２５】
さらに、本実施形態において、上部基礎管２１の上端部には、図１に示すように、軸心位置に挿入された防食支柱１に向けて上方に突出形成されたドーム状のシーリング２４が設けられている。これにより、防食支柱１の根元部分に水分が滞留し難くなり、腐食がさらに抑制されるようになっている。なお、上部基礎管２１の構成は上記に限定されるものではなく、水はけのよい地盤であれば、上部基礎管２１の上端部が地表面と一致されていてもよく、シーリング２４を設けなくてもよい。
【００２６】
つづいて、基礎構造体２を構成する下部基礎管２２は、上部基礎管２１と同様、溶融亜鉛メッキが施された鋼材によって円筒状に形成されている。また、下部基礎管２２は、図１に示すように、上部基礎管２１より小径かつ防食支柱１より大径に形成され、上部基礎管２１の下端部に連結されている。そして、下部基礎管２２の外周面には、図１および図６に示すように、基礎構造体２の回転を防止する複数の回転防止用羽根板２５が放射状に設けられている。
【００２７】
本実施形態において、回転防止用羽根板２５は、長方形状の鋼板によって形成されており、図１に示すように、下部基礎管２２の下端部近傍に設けられている。また、下部基礎管２２の中心から回転防止用羽根板２５の外端までの寸法は、基礎構造体２が挿入される縦穴３の半径よりも小さく設定されている。さらに、回転防止用羽根板２５は、下部基礎管２２の周方向に沿って等角度間隔で四枚設けられている。
【００２８】
なお、上部基礎管２１の内周面における下端部および下部基礎管２２の外周面における上端部には、図２および図４に示すように、両者を連結するための固定用リブ２６が設けられている。各固定用リブ２６は上下に重なり合う位置に配置されており、上部基礎管２１の軸心と下部基礎管２２の軸心を一致させた状態でボルトを挿通し固定することで、上部基礎管２１と下部基礎管２２とが連結されるようになっている。
【００２９】
つぎに、本実施形態の防食支柱１、基礎構造体２およびこれらを用いた支柱構造物１０の作用について説明する。
【００３０】
本実施形態の基礎構造体２を用いて防食支柱１を備えた支柱構造物１０を設置する場合、まず、設置箇所の地盤に掘削した縦穴３に基礎構造体２を挿入する。このとき、各回転防止用羽根板２５は、径方向の寸法が縦穴３の半径より小さいため、縦穴３の内周面を崩してしまうのを防止する。このため、基礎構造体２にかかる地盤からの側圧が低下せず、支柱構造物１０が強固かつ安定的に設置される。
【００３１】
また、本実施形態では、上部基礎管２１の上端部が地盤の地表面より上方に突出した状態で基礎構造体２を設置する。これにより、基礎構造体２の軸心位置に挿入される防食支柱１の周囲のみが地表面よりも一段高くなるため、防食支柱１の根元部分における水はけが向上し、腐食が抑制される。
【００３２】
つぎに、縦穴３と下部基礎管２２との隙間にモルタルを充填する。これにより、地盤と下部基礎管２２とが一体化されるため、地盤が強化される。また、本実施形態では、各回転防止用羽根板２５が下部基礎管２２の下端部近傍に設けられているため、充填されるモルタルの邪魔にならない。また、充填時に回転防止用羽根板２５周りには空隙が発生しやすいが、下端部近傍に設けられているため、その発生自体を抑制し、当該空隙に浸入した水等による悪影響を低減する。
【００３３】
つづいて、基礎構造体２の内部に支柱構造物１０の防食支柱１を挿入する。このとき、本実施形態では、防食補強カバー１１の上下幅方向における中央位置が、上部基礎管２１の上端部の高さ位置とほぼ一致するように挿入する。これにより、地表面より突出されることで地表面に相当することとなる前記上端部の高さ位置を基準として、上端部までの寸法と下端部までの寸法が略同一となるため、防食支柱１の地表面近傍における腐食が漏れなく防止される。
【００３４】
また、本実施形態では、建入れ調整金具２３が防食支柱１の前後左右に当接して位置調整するため、防食支柱１が正確な位置に垂直な状態で固定される。また、本実施形態では、前後調整金具２３ａが防食支柱１の外周面と密着するように当接するとともに、左右調整金具２３ｂが防食支柱１の外周面に対して滑り止めされた状態で当接するため、位置調整精度が向上する。
【００３５】
最後に、基礎構造体２と防食支柱１との隙間にコンクリートを充填する。これにより、基礎構造体２と防食支柱１とが一体化されるため、支柱構造物１０が基礎構造体２によって正確かつ強固に固定される。また、本実施形態では、回転防止用羽根板２５が地盤に対する抵抗力を向上させるため、基礎構造体２と一体化された支柱構造物１０が防食支柱１の軸心周りに回転してしまうのを防止する。さらに、回転防止用羽根板２５は地盤との摩擦抵抗を増大させるため、基礎構造体２が沈下してしまうのを防止する。
【００３６】
また、本実施形態では、上部基礎管２１の上端部に設けられたドーム状のシーリング２４が、防食支柱１の根元部分に集まる水分を周囲へ排除する。このため、防食支柱１の根元部分における防食効果がさらに向上するようになっている。
【００３７】
設置後の防食支柱１においては、地盤の地表面となる高さ位置近傍に防食補強カバー１１が全周に渡って溶接されているため、破損や劣化しにくく、防食支柱１の根元部分における防食効果が長期に渡って維持される。また、本実施形態では、防食補強カバー１１が複数の分割片１１ａによって構成されているため、様々な径サイズの防食支柱１に対しても高精度に密着し、水分の浸入を防止するとともに強度を向上させる。
【００３８】
さらに、本実施形態では、防食補強カバー１１に設けられた複数の貫通孔１２に溶加材１３を充填して溶接するため、防食支柱１の外周面と一体化し接合強度が向上する。また、防食補強カバー１１の溶接作業は、予め工場等において行われるため、設置現場での作業が増えることがなく、短期間での施工が実現される。
【００３９】
以上のような本実施形態の防食支柱１、基礎構造体２およびこれらを用いた支柱構造物１０によれば、以下のような効果を奏する。
１．防食補強カバー１１によって防食支柱１の根元部分における防食効果を長期に渡って維持することができる。
２．様々な径サイズの防食支柱１に対しても、容易に防食補強カバー１１を密着させ、強度を高めることができる。
３．防食支柱１の地表面近傍における腐食を漏れなく防止することができる。
４．防食支柱１に対する防食補強カバー１１の接合強度を向上することができる。
５．劣化しにくい防食補強カバー１１により防食効果の低下を抑制することができる。
６．基礎構造体２によって防食支柱１の根元部分における水はけを良くして腐食を抑制することができる。
７．シーリング２４によって防食支柱１の根元部分に水分を滞留させ難くして腐食を抑制することができる。
８．根元部分における防食効果を長期に渡って維持可能な防食支柱１、または当該防食支柱１を備えた支柱構造物１０を設置することができる。
【００４０】
なお、本考案に係る防食支柱１、基礎構造体２およびこれらを用いた支柱構造物１０は、上述した本実施形態に限定されるものではなく、適宜変更することができる。例えば、上述した本実施形態では、防食支柱１および防食補強カバー１１が円筒状に形成されているが、この構成に限定されるものではなく、防食支柱１の外側面と、防食補強カバー１１の内側面とが一致する限り、どのような形状であってもよい。
【符号の説明】
【００４１】
１  防食支柱
２  基礎構造体
３  縦穴
１０  支柱構造物
１１  防食補強カバー
１１ａ  分割片
１２  貫通孔
１３  溶加材
２１  上部基礎管
２２  下部基礎管
２３  建入れ調整金具
２３ａ  前後調整金具
２３ｂ  左右調整金具
２４  シーリング
２５  回転防止用羽根板
２６  固定用リブ
【図１】
0003227302.tif 000003
【図２】
0003227302.tif 000004
【図３】
0003227302.tif 000005
【図４】
0003227302.tif 000006
【図５】
0003227302.tif 000007
【図６】
0003227302.tif 000008